(57)【要約】【課題】雑音が低減され、且つ小型で安価な電子機器及び録音再生装置を提供する。更に、上記の電子機器及び録音再生装置を実現するための保持部材を提供する。【解決手段】筐体接合部１２１ａ，１２１ｂは、開口部１２１２の周囲に設けられた半球状の凸部を有するリブ１２１１が筐体１０に押止される。また、リブ１２１１は、弾性変形可能な素材又は構成を有して形成される。また、マイク保持部１２３と筐体接合部１２１ａ，１２１ｂとの間に振動減衰部１２２を設ける。この振動減衰部１２２は、ジャバラ形状に構成されており、振動や衝撃を減衰するジャバラ形状部１２２１を有する。また、振動減衰部１２２を他の構成よりも薄く形成する。これにより、マイク保持部１２３に保持されたマイク１１へ伝達される振動や衝撃を緩和できる。【選択図】　　　　　図４
2004023441.tif 000002
【特許請求の範囲】
【請求項１】
マイクロフォンを有する電子機器であって、
該電子機器の筐体外部に前記マイクロフォンを遊動可能に保持する保持部材を設け、
前記保持部材は、該電子機器の筐体外部に前記マイクロフォンを遊動可能に保持することで前記マイクロフォンと前記筐体との間の振動を緩衝することを特徴とする電子機器。
【請求項２】
前記保持部材は、前記マイクロフォンを保持する保持部と、該保持部に連結したジャバラ形状の振動減衰部とを有することを特徴とする請求項１記載の電子機器。
【請求項３】
前記ジャバラ形状は、多重であることを特徴とする請求項２記載の電子機器。
【請求項４】
前記振動減衰部は、前記保持部よりも薄く形成されていることを特徴とする請求項２又は３記載の電子機器。
【請求項５】
前記保持部材は、前記保持部材を前記筐体に対して遊動可能に着設する筐体接合部を有することを特徴とする請求項１から４の何れか１項に記載の電子機器。
【請求項６】
前記筐体接合部は、所定の開口部の周囲に設けられた複数の弾性変形可能な凸部を有することを特徴とする請求項５記載の電子機器。
【請求項７】
前記保持部材は、前記マイクロフォンを保持する保持部と、ジャバラ形状の振動減衰部と、前記保持部材を前記筐体に対して遊動可能に着設する筐体接合部とを有する単一の部材で形成されていることを特徴とする請求項１記載の電子機器。
【請求項８】
マイクロフォンを有する電子機器であって、
前記マイクロフォンを遊動可能に保持する保持部材を設け、
前記保持部材は、複数の異なる振動減衰部を有する単一の弾性部材で形成されていることを特徴とする電子機器。
【請求項９】
マイクロフォンを保持する保持部と、該保持部に連結した第１の振動減衰部と、該第１の振動減衰部の外側に位置し、かつ前記第１の振動減衰部とは異なる形状の第２の振動減衰部とを有し、前記マイクロフォンを遊動可能に保持することを特徴とする保持部材。
【請求項１０】
前記保持部材は所定の弾性部材で形成されていることを特徴とする請求項９記載の保持部材。
【請求項１１】
前記第１の振動減衰部はジャバラ形状を有し、前記第２の振動減衰部は所定の開口の周囲に設けられた複数の凸部を有することを特徴とする請求項９又は１０記載の保持部材。
【請求項１２】
入力された音をアナログデータとして出力するマイクロフォンと、前記マイクロフォンから出力されたアナログデータをデジタルデータに変換するＡＤ変換手段と、前記デジタルデータを所定の記録方式で記録する記録手段と、を有する録音再生装置であって、
前記マイクロフォンは、請求項９から１１の何れか１項に記載の前記保持部材で保持されていることを特徴とする録音再生装置。
【請求項１３】
前記記録手段は、ＣＤ−Ｒ又はＣＤ−ＲＷへの書き込み手段であることを特徴とする請求項１２記載の録音再生装置。
【発明の詳細な説明】
【０００１】
【発明の属する技術分野】
本発明は、電子機器、保持部材、及び録音再生装置に関し、特にマイクロフォンが入力するノイズが低減される電子機器、保持部材、及び録音再生装置に関する。
【０００２】
【従来の技術】
近年、マルチメディアデータを取り扱う技術が発達し、多くの電子機器がマイクロフォンを搭載するようになってきた。一般の電話機や携帯電話機等に限らず、録音機能付きのカセットプレーヤ装置や光ディスクプレーヤ装置や光磁気ディスクプレーヤ装置等もその１つである。これらの製品（以下、録音再生装置という）は、各部品の縮小化や小型バッテリの登場から携帯性にも優れたものとなってきている。
【０００３】
これら録音再生装置の一般的な構成例（以下、これを従来技術１とする）を図１に示す。図１において、Ａ／Ｄ変換部１０４はマイクロフォン１０１から入力されたアナログデータをデジタルデータに変換する。書込／読出制御部１０６は、Ａ／Ｄ変換部１０４から入力されたデジタルデータに所定の処理を施した後、駆動部１０８及び書込／読出部１０７を制御することでこれを記録媒体１０９に記録する。また、書込／読出制御部１０６は、駆動部１０８書込読出部１０７を制御することで記録媒体１０９に記録されているデジタルデータを読み出し、これに所定の処理を施すことで基のデジタルデータに復号する。復号されたデジタルデータはＤ／Ａ変換部１０５でアナログデータに変換された後、スピーカ１０２等よりユーザへ提供される。
【０００４】
しかしながら、従来技術１では、記録媒体１０９を駆動する駆動部１０８とマイクロフォン１０１とが同一の筐体１００内部に設けられているため、記録媒体１０９を駆動することで発生する振動等が筐体１００内部の空間を介してマイクロフォン１０１に伝達し、結果としてこれが雑音としてマイクロフォン１０１に拾われてしまう。更に、従来技術１では、集音効率の向上のためにマイクロフォン１０１の集音部を筐体１００に近接させなければならないが、これでは、マイクロフォン１０１が駆動部１０８から筐体１００に与えられた振動や、その他外部から筐体１００に与えられた振動や衝撃等の影響を大きく受けてしまうという問題も存在する。
【０００５】
このような問題を解決するものとして、例えば特開平８−３１１６０号公報が開示するところの録音再生装置が存在する。これを従来技術２とし、図２に示す。
【０００６】
図２を参照すると、従来技術２による録音再生装置は、従来技術１による構成において、筐体１００が第１筐体１００ａと第２筐体１００ｂとに分かれ、第１筐体１００ａ内部に記録媒体１０９の駆動部１０８が設けられ、第２筐体１００ｂ外部にマイクロフォン１０１が設けられるように構成されている。また、本従来技術２は、各々の筐体１００ａ，１００ｂの接続部にゴム製の振動緩衝部材を設けることで、筐体１００ａから筐体１００ｂへの振動の伝達を減衰させる構成を有している。
【０００７】
即ち、従来技術２では、駆動部１０８を格納する空間（第１筐体１００ａ）とマイクロフォン１０８を格納する空間（第２筐体１００ｂ）とが分離され、双方間を伝達する振動が減衰されるように構成されている。
【０００８】
【発明が解決しようとする課題】
しかしながら、上記従来技術２による録音再生装置では、図２からも明らかなように２つの筐体を必要とするため、部品点数が増加し、且つ複雑化してしまうという問題が存在する。従って、従来技術２では、装置が大型化し且つ高価なものとなる。
【０００９】
そこで本発明は、上記の問題に鑑みてなされたものであり、雑音が低減され、且つ小型で安価な電子機器及び録音再生装置を提供することを目的とする。更に、本発明は、上記の電子機器及び録音再生装置を実現するための保持部材を提供することを目的とする。
【００１０】
【課題を解決するための手段】
かかる目的を達成するために、本発明は、マイクロフォンを有する電子機器であって、該電子機器の筐体外部に前記マイクロフォンを遊動可能に保持する保持部材を設け、前記保持部材は、該電子機器の筐体外部に前記マイクロフォンを遊動可能に保持することで前記マイクロフォンと前記筐体との間の振動を緩衝することを特徴とする。これにより、雑音が低減され、且つ小型で安価な電子機器が提供される。即ち、マイクロフォンを筐体に対して遊動可能に保持することが可能となり、マイクロフォンに伝達する振動や衝撃を減衰させることが可能となる。また、これを保持部材のみで実現しているため、部品点数を増加させることなく、簡素で安価な電子機器を実現することが可能となる。
【００１１】
また、上記の構成において、例えば、前記保持部材が、前記マイクロフォンを保持する保持部と、該保持部に連結したジャバラ形状の振動減衰部とを有する。
【００１２】
また、別の例として、前記ジャバラ形状が、多重である。これにより、より効率よく、マイクロフォンに伝達する振動や衝撃を減衰させることが可能となる。
【００１３】
また、別の例として、前記振動減衰部が、前記保持部よりも薄く形成されている。
【００１４】
また、上記の構成において、例えば、前記保持部材が、前記保持部材を前記筐体に対して遊動可能に着設する筐体接合部を有する。これにより、保持部材自体に伝達する振動や衝撃を減衰させることが可能となり、結果としてマイクロフォンに伝達する振動や衝撃を更に減衰させることが可能となる。
【００１５】
また、別の例として、前記筐体接合部が、所定の開口部の周囲に設けられた複数の弾性変形可能な凸部を有する。これにより、保持部材と筐体との接触面積を可能な限り縮小することが可能となり、よって、保持部材に伝達する振動や衝撃をより減衰させることが可能となる。
【００１６】
また、上記の構成において、例えば、前記保持部材が、前記マイクロフォンを保持する保持部と、ジャバラ形状の振動減衰部と、前記保持部材を前記筐体に対して遊動可能に着設する筐体接合部とを有する単一の部材で形成されている。
【００１７】
また、本発明は、マイクロフォンを有する電子機器であって、前記マイクロフォンを遊動可能に保持する保持部材を設け、前記保持部材が、複数の異なる振動減衰部を有する単一の弾性部材で形成されている。これにより、雑音が低減された電子機器が提供される。更に、単一に構成された保持部材のみで実現しているため、部品点数を増加させることなく、簡素で安価な電子機器を実現することが可能となる。
【００１８】
また、本発明は、マイクロフォンを保持する保持部と、該保持部に連結した第１の振動減衰部と、該第１の振動減衰部の外側に位置し、かつ前記第１の振動減衰部とは異なる形状の第２の振動減衰部とを有し、前記マイクロフォンを遊動可能に保持することを特徴とする。これにより、雑音が低減され、且つ小型で安価な電子機器を実現できる保持部材が提供される。
【００１９】
また、上記の構成において、例えば、前記保持部材が所定の弾性部材で形成されている。
【００２０】
また、別の例として、前記第１の振動減衰部がジャバラ形状を有し、前記第２の振動減衰部は所定の開口の周囲に設けられた複数の凸部を有する。
【００２１】
また、本発明は、入力された音をアナログデータとして出力するマイクロフォンと、前記マイクロフォンから出力されたアナログデータをデジタルデータに変換するＡＤ変換手段と、前記デジタルデータを所定の記録方式で記録する記録手段と、を有する録音再生装置であって、前記マイクロフォンが、上記の保持部材で保持されている。これにより、これにより、雑音が低減され、且つ小型で安価な録音再生装置が実現される。
【００２２】
また、上記の構成において、例えば、前記記録手段が、ＣＤ−Ｒ又はＣＤ−ＲＷへの書き込み手段である。
【００２３】
【発明の実施の形態】
以下、本発明の好適ば実施形態について図面を用いて詳細に説明する。
【００２４】
〔第１の実施形態〕
図３は、本実施形態による録音再生装置１の外観を示す斜視図である。図３を参照すると、録音再生装置１は、マイクロフォン（以下、マイクと略す）１１と、マイク１１を筐体１０に保持するための保持部材１２と、スピーカ１３と、ユーザインタフェースである録音ボタン１６と、同じくユーザインタフェースである再生ボタン１７と、記録媒体であるＣＤ−ＲＯＭやＣＤ−ＲやＣＤ−ＲＷ等を挿入するためのＣＤ挿入口１８と、を有して構成される。また、上記構成において、マイク１１とスピーカ１２とは、メッシュ状の金属又はプラスチック等、ある程度の剛性を有する素材で構成されたカバー１４により覆われる。尚、内部の構成は、図１に示すものと同様のもので実現可能であるため、ここでは説明を省略する。
【００２５】
次に、図３における保持部材１２について図面を用いて詳細に説明する。図４は、保持部材１２の外観を示す斜視図である。図４に示すように、本実施形態による保持部材１２は、筐体１０との接合部を担う筐体接合部１２１ａ及び１２１ｂと、マイク１１を保持するマイク保持部１２３と、マイク保持部１２３へ伝達する振動や衝撃を減衰させる振動減衰部１２２とを有して構成される。
【００２６】
保持部材１２の詳細な構成を図５に示す断面図を用いて説明する。図５（ａ），（ｂ）を参照すると明らかなように、マイク保持部１２３は、上部に音を入力するための口（集音口１２３１）が設けられている。また、下部には、マイク１１の配線（ハーネス１１ａ）を引き出すための口（ハーネス引出口１２３２）が設けられている。
【００２７】
マイク保持部１２３の垂直方向の断面（図５（ａ）参照）は、コの字の形をしており、マイク１１を固定できるように構成されている。更に、マイク保持部１２３内部の側面には、メサ状のマイク接触部１２３３が設けられている。即ち、マイク１１の側面はメサ状のマイク接触部１２３３により押止される。また、このマイク接触部１２３３は、弾性変形可能な素材又は構成を有して形成される。このように、マイク保持部１２３がマイク１１に接触する面積を小さくし、且つ、この部分を弾性変形可能に形成することで、マイク１１をある程度遊動可能な状態で保持することができる。従って、マイク１１への振動や衝撃の影響を緩和することが可能となる。
【００２８】
また、筐体接合部１２１ａ，１２１ｂは、図５（ａ），（ｂ）を参照すると明らかなように、開口部１２１２の周囲に設けられた、筐体１０及び止め具（本実施形態ではネジ１９ａ，１９ｂ）と接触する複数の部分（リブ１２１１）が半球状の凸部となっている。このため、筐体接合部１２１ａ，１２１ｂは、筐体１０及び止め具と複数の点（上部接触点１２１１ａ，下部接触点１２１１ｂ）で接触する。また、このリブ１２１１は、弾性変形可能な素材又は構成を有して形成される。このように筐体接合部１２１ａ，１２１ｂ、即ち保持部材１２が筐体１０に接触する面積を小さくし、且つ、この部分を弾性変形可能に形成することで、保持部材１２をある程度遊動可能な状態で保持することができる。従って、保持部材１２を介してマイク１１へ伝達する振動や衝撃を緩和することが可能となる。尚、止め具は、後述において説明するように、開口部１２１２を介して筐体１０に固定される。
【００２９】
更に、本実施形態による保持部材１２は、マイク保持部１２３と筐体接合部１２１ａ，１２１ｂとの間に振動減衰部１２２を有している。この振動減衰部１２２は、図５（ａ），（ｂ）に示すように、ジャバラ形状に構成されており、この部分（ジャバラ形状部１２２１）で振動や衝撃が緩和される仕組みとなっている。また、振動減衰部１２２の特にジャバラ形状部１２２１は、他の構成（マイク保持部１２３や筐体接合部１２１等）と比較して薄く形成されている。これにより、筐体接合部１２１を介して伝達してきた振動や衝撃を、より効率よく減衰させることが可能となる。
【００３０】
次に、組み立て時のマイク１１及び保持部材１２の構成を図６を用いて詳細に説明する。図６に示すように、マイク１１は、保持部材１２におけるマイク保持部１２３にはめ込むように保持される。また、マイク１１の配線（ハーネス１１ａ）はマイク保持部１２３下部のハーネス引出口１２３２及び筐体１０に設けられた開口部を介して筐体１０内部に導かれる。
【００３１】
保持部材１２１ａ，１２１ｂは、ネジ１９ａ，１９ｂにより上方及び下方から押止される。但し、ネジ１９ａ，１９ｂは筐体１０に固定される。
【００３２】
このように構成することで、マイク１１を筐体１０に対して遊動可能に保持することが可能となり、マイク１１に伝達する振動や衝撃を減衰させることが可能となる。即ち、マイク１１により得られる音データをクリアなものとすることが可能となる。また、これを保持部材１２のみで実現しているため、部品点数も増えず、構成を簡素化することも可能となるため、より安価に高性能な録音再生装置を提供することが実現される。更に、本実施形態による保持部材１２は、録音再生装置に限らず、マイクロフォンを備える電子機器のすべてに適用することが可能である。
【００３３】
尚、以上で説明した保持部材１２は、例えば天然ゴムやスチレンゴムやブチルゴムやニトリルゴムやクロロプレンゴム（ネオプレンゴム）やエチレン・プロピレングムやハイパロンやアクリルゴムやウレタンゴムやシリコンゴムやフッ素ゴム等の弾性体を用いて単一の部材として形成される。但し、複数の部材として形成し、これらを結合させることで、同様な保持部材を構成してもよい。
【００３４】
また、本実施形態による保持部材１２を具体化した際の寸法の一例について以下に説明する。
【００３５】
保持部材１２において、例えば図５（ｂ）におけるＡ−Ａ’方向を１４．０ｍｍ程度，ａ−ａ’方向を１３．７ｍｍ程度とし、マイク保持部１２３の外側の直径を８．２ｍｍ程度とし、開口部１２１２の直径を４．０ｍｍ程度とした場合、マイク保持部１２３の厚みを０．７ｍｍ程度とし、筐体接合部１２１の厚みを１．２ｍｍ程度とする。また、開口部１２１２周囲に設けるリム１２１１の直径を０．７ｍｍ程度とし、その長さを３．５ｍｍ程度とする。尚、リム１２１１の上部及び下部には上述のように半球状の凸部を設ける。また、振動減衰部１２２の特にジャバラ形状部１２２１の内側の直径を１０．３ｍｍ程度とし、外側の直径を１１．０ｍｍ程度とし、その厚みを０．２ｍｍ程度とする。
【００３６】
〔第２の実施形態〕
また、第１の実施形態では、振動減衰部１２２が一重、即ち、１回の折り返しを有するジャバラ形状として構成されていたが、これを多重にすることで、より効率よく振動や衝撃を減衰させることが可能となる。以下、例として二重で構成した場合について第２の実施形態として図面を用いて詳細に説明する。尚、いかの説明において、第１の実施形態と同一の構成には、同一の符号を付している。
【００３７】
図７は、本実施形態による保持部材１２Ａの外観を示す斜視図である。図７を参照すると明らかなように、保持部材１２Ａの振動減衰部１２２Ａは、二重の折り返しを有するジャバラ形状となっている。この詳細を図８に示す。
【００３８】
図８を参照すると、保持部材１２Ａは第１の実施形態による保持部材１２と比較して、振動減衰部１２２のジャバラ形状部１２２が二重ジャバラ形状部１２２１Ａに置き換えられている。尚、その他の構成は第１の実施形態と同様であるため説明を省略する。
【００３９】
このように構成することで、本実施形態では、振動や衝撃をより効率よく減衰させることが可能となり、マイク１１から得られる音データをよりクリアなものとすることが可能となる。
【００４０】
〔第３の実施形態〕
また、上記第１の実施形態では、保持部材１２をネジ１９ａ，１９ｂで押止するように構成されていたが、これを例えば筐体１０と一体化されたツメ状の止め具に置き換えることも可能である。以下、これを第３の実施形態として図面を用いて詳細に説明する。尚、以下の説明において、第１の実施形態と同一の構成には、同一の符号を付している。
【００４１】
図９に本実施形態における保持部材１２と筐体１０Ａとを組み立てた際の断面図を示す。尚、保持部材１２は、第１の実施形態によるものと同様のものを使用することが可能である。
【００４２】
図９において筐体１０Ａは、保持部材１２の筐体接合部１２１ａ，１２１ｂと嵌合する構成に、止め具としてツメ２１ａ，２１ｂが設けられている。即ち、保持部材１２は、開口部１２１２をツメ２１ａ，２１ｂに嵌合し、上部がツメ２１ａ，２１ｂの折り返し部分に押止されることで、遊動可能に保持される。
【００４３】
また、筐体１０Ａにおける保持部材１２（マイク１１）を格納する部分（マイク格納部２０）の構成を図１０に示す。図１０を参照すると明らかなように、筐体１０Ａのマイク格納部２０には、保持部材１２の開口部１２１２と嵌合するようにツメ２１ａ，２１ｂが設けられている。
【００４４】
以上のように構成することで、本実施形態では、より簡易な構成で保持部材１２を遊動可能に保持することが可能となる。即ち、より簡易な構成の録音再生装置若しくはマイクロフォンを備える電子機器を実現することが可能となる。尚、その他の構成は第１の実施形態と同様であるため説明を省略する。
【００４５】
〔他の実施形態〕
以上、説明した実施形態は本発明の好適な一実施形態にすぎず、本発明はその趣旨を逸脱しない限り種々変形して実施可能である。
【００４６】
【発明の効果】
以上説明したように、本発明によれば、マイクロフォンを筐体に対して遊動可能に保持することが可能となり、マイクロフォンに伝達する振動や衝撃を減衰させることが可能となる。即ち、マイクロフォンにより得られる音データをクリアなものとすることが可能となる。また、これを本発明独自の保持部材のみで実現しているため、部品点数も増えず、構成を簡素化することも可能となる。これにより、安価に高性能な録音再生装置を提供することが実現される。更に、本発明による保持部材は、録音再生装置に限らず、マイクロフォンを備える電子機器のすべてに適用することが可能である。
【図面の簡単な説明】
【図１】従来技術１による録音再生装置の構成を示すブロック図である。
【図２】従来技術２による録音再生装置の構成を示すブロック図である。
【図３】本発明の第１の実施形態による録音再生装置１の外観を示す斜視図である。
【図４】本発明の第１の実施形態による保持部材１２の外観を示す斜視図である。
【図５】図４に示す保持部材１２の構成を示す断面図である。
【図６】保持部材１２とマイク１１と筐体１０とを組み立てた際の構成を示す断面図である。
【図７】本発明の第２の実施形態による保持部材１２Ａの外観を示す斜視図である。
【図８】図７に示す保持部材１２Ａの構成を示す断面図である。
【図９】本発明の第３の実施形態による筐体１０Ａと保持部材１２とを組み立てた際の構成を示す断面図である。
【図１０】本発明の第３の実施形態による筐体１０Ａにおけるマイク格納部２０の外観を示す斜視図である。
【符号の説明】
１　録音再生装置
１０、１０Ａ　筐体
１１　マイク
１１ａ　ハーネス
１２、１２Ａ　保持部材
１３　スピーカ
１４　カバー
１６　録音ボタン
１７　再生ボタン
１８　ＣＤ挿入口
１９ａ、１９ｂ　ネジ
２０　マイク格納部
２１ａ、２１ｂ　ツメ
１２１ａ、１２１ｂ　筐体接合部
１２２、１２２Ａ　振動減衰部
１２３　マイク保持部
１２１１　リブ
１２１１ａ　上部接触点
１２１１ｂ　下部接触点
１２１２　開口部
１２２１　ジャバラ形状部
１２２１Ａ　二重ジャバラ形状部
１２３１　集音口
１２３２　ハーネス引出部
１２３３　マイク接触部
【図１】
2004023441.tif 000003
【図２】
2004023441.tif 000004
【図３】
2004023441.tif 000005
【図４】
2004023441.tif 000006
【図５】
2004023441.tif 000007
【図６】
2004023441.tif 000008
【図７】
2004023441.tif 000009
【図８】
2004023441.tif 000010
【図９】
2004023441.tif 000011
【図１０】
2004023441.tif 000012